(57)【要約】【課題】電力系統に一過的な事故が発生し事故が復旧した場合には早急に分散電源を電力系統に連系復旧できる分散電源設備の系統連系復旧装置を提供することである。【解決手段】単独運転検出装置２８は、分散電源設備が単独運転となったときは分散電源設備を電力系統に接続する受電端の遮断器１５を開き、単独運転制御装置２９は、充電運転中の二次電池を含めたその構内系統のすべての負荷を賄えないときは選択的に負荷遮断を行ってから分散電源設備の単独運転を行い、系統並列装置３１は、分散電源設備が単独運転となった後に受電端電圧判定部３０により電力系統の受電端電圧が所定電圧であると判定されたときは、分散電源設備の出力電圧と電力系統の受電端電圧の同期を取って受電端の遮断器１５を閉じ、負荷遮断した負荷を順次受電再開させる。【選択図】  図１
2012055033.tif 000002
【特許請求の範囲】
【請求項１】
分散電源設備及び二次電池を有した構内系統の前記分散電源設備が単独運転となったときは前記構内系統を電力系統に接続する受電端の遮断器を開く単独運転検出装置と、
前記分散電源設備が単独運転となったときに充電運転中の前記二次電池を含めた前記構内系統のすべての負荷を賄えないときは選択的に負荷遮断を行ってから前記分散電源設備の単独運転を行う単独運転制御装置と、
前記電力系統の受電端電圧が所定電圧であるか否かを判定する受電端電圧判定部と、
前記分散電源設備が単独運転となった後に前記受電端電圧判定部により前記電力系統の受電端電圧が所定電圧であると判定されたときは前記分散電源設備の出力電圧と前記電力系統の受電端電圧の同期を取って前記受電端の遮断器を閉じ負荷遮断した負荷を順次受電再開させる系統並列装置とを備えたことを特徴とする分散電源設備の系統連系復旧装置。
【請求項２】
前記系統並列装置は、所定時間内に前記受電端電圧判定部により前記電力系統の受電端電圧が所定電圧であると判定されときのみ、前記受電端の遮断器を閉じて系統並列することを特徴とする請求項１に記載の分散電源設備の系統連系復旧装置。
【請求項３】
分散電源設備及び二次電池を有した構内系統の前記分散電源設備が単独運転となったときは前記構内系統を電力系統に接続する受電端の遮断器を開き、
前記分散電源設備を単独運転した場合に充電運転中の前記二次電池を含めた前記構内系統のすべての負荷を賄えないときは選択的に負荷遮断を行って単独運転を行い、
前記電力系統の受電端電圧が所定電圧に回復したときは前記分散電源設備の出力電圧と前記電力系統の受電端電圧の同期を取って前記受電端の遮断器を閉じ、
負荷遮断した負荷を順次受電再開させることを特徴とする分散電源設備の系統連系復旧方法。
【発明の詳細な説明】
【技術分野】
【０００１】
本発明は、電力系統に事故が発生して分散電源が電力系統から切り離された後に分散電源を系統に連系復旧させる分散電源設備の系統連系復旧装置及び方法に関する。
【背景技術】
【０００２】
一般に、電力系統の送電線に事故が発生すると事故が発生した事故区間を遮断器で切り離した後、所定の時間経過後に再閉路するようにしている。これは、一過的な地絡事故である場合は再閉路することによって電力の供給を再開できるからである。再閉路して再度事故が検出されたときは、永久故障として再度事故区間を切り離し、保守員が保守作業を行うことになる。
【０００３】
分散電源設備が連系されている電力系統に事故が発生した場合は、分散電源設備は電力系統から切り離され運転の停止となる。これは、連系している電力系統に事故が発生すると、分散電源設備は電力系統との連系ができなくなり単独運転状態となるからである。通常、分散電源設備は単独運転検出装置を有しており（例えば、特許文献１参照）、単独運転検出装置により単独運転状態が検出されると、分散電源設備を電力系統から切り離し運転を停止する。
【０００４】
ここで、電力系統との連系運転時に母線電力の潮流が自家発電設備の重要負荷側から電力系統の一般負荷側に向う所定値以下の潮流になるように自家発電機の出力を制御し、系統電源の停電等により一般負荷が解列され、自家発電機が単独運転に切換わったときに、重要負荷の給電を安定に継続し得るようにしたものがある（例えば、特許文献２参照）。
【先行技術文献】
【特許文献】
【０００５】
【特許文献１】特開２００９−１１０３７号公報
【特許文献２】特開平９−２８５０１６号公報
【発明の概要】
【発明が解決しようとする課題】
【０００６】
しかし、特許文献１のものは分散電源設備が単独運転状態となると、単独運転検出装置で単独運転状態を検出し分散電源設備を停止するものであるので、電力系統に一過的な事故が発生して再閉路により事故が復旧した場合であっても、即座に分散電源設備を電力系統に連系することができない。従って、分散電源設備で発電した電力を電力系統に供給し有効利用することができない。
【０００７】
また、特許文献２のものでは、自家発電機が単独運転に切換わったときには重要負荷の給電を安定に継続し得るが、この場合においても電力系統に一過的な事故が発生して再閉路により事故が復旧した場合に、早急に自家発電設備から電力系統に電力を供給することができない。
【０００８】
本発明の目的は、電力系統に一過的な事故が発生し事故が復旧した場合には早急に分散電源を電力系統に連系復旧できる分散電源設備の系統連系復旧装置及び方法を提供することである。
【課題を解決するための手段】
【０００９】
請求項１の発明に係る分散電源設備の系統連系復旧装置は、分散電源設備及び二次電池を有した構内系統の前記分散電源設備が単独運転となったときは前記構内系統を電力系統に接続する受電端の遮断器を開く単独運転検出装置と、前記分散電源設備が単独運転となったときに充電運転中の二次電池を含めた前記構内系統のすべての負荷を賄えないときは選択的に負荷遮断を行ってから前記分散電源設備の単独運転を行う単独運転制御装置と、前記電力系統の受電端電圧が所定電圧であるか否かを判定する受電端電圧判定部と、前記分散電源設備が単独運転となった後に前記受電端電圧判定部により前記電力系統の受電端電圧が所定電圧であると判定されたときは前記分散電源設備の出力電圧と前記電力系統の受電端電圧の同期を取って前記受電端の遮断器を閉じ負荷遮断した負荷を順次受電再開させる系統並列装置とを備えたことを特徴とする。
【００１０】
請求項２の発明に係る分散電源設備の系統連系復旧装置は、請求項１の発明において、前記系統並列装置は、所定時間内に前記受電端電圧判定部により前記電力系統の受電端電圧が所定電圧であると判定されときのみ、前記受電端の遮断器を閉じて系統並列することを特徴とする。
【００１１】
請求項３の発明に係る分散電源設備の系統連系復旧方法は、分散電源設備及び二次電池を有した構内系統の前記分散電源設備が単独運転となったときは前記構内系統を電力系統に接続する受電端の遮断器を開き、前記分散電源設備を単独運転した場合に充電運転中の前記二次電池を含めた前記構内系統のすべての負荷を賄えないときは選択的に負荷遮断を行って単独運転を行い、前記電力系統の受電端電圧が所定電圧に回復したときは前記分散電源設備の出力電圧と前記電力系統の受電端電圧の同期を取って前記受電端の遮断器を閉じ、負荷遮断した負荷を順次受電再開させることを特徴とする。
【発明の効果】
【００１２】
請求項１の発明によれば、分散電源設備及び二次電池を有した構内系統の分散電源設備が単独運転となったときは構内系統の受電端遮断器を開き、分散電源設備を単独運転した場合に充電運転中の二次電池を含めた構内系統のすべての負荷を賄えないときは選択的に負荷遮断を行って分散電源設備の単独運転を開始し、その後に、電力系統の受電端電圧が所定電圧であるか否かを判定し、受電端電圧が所定電圧であると判定されたときは、分散電源設備の出力電圧と電力系統の受電端電圧の同期を取って受電端の遮断器を閉じて負荷遮断した負荷を順次受電再開させるので、電力系統に一過的な事故が発生してその事故が復旧した場合には、早急に分散電源を電力系統に連系復旧できる。これにより、電力系統には分散電源設備からの電力が供給されるので、特に容量が小さい電力系統の場合には電力の擾乱を有効に防止できる。
【００１３】
請求項２の発明によれば、請求項１の発明の効果に加え、所定時間内に電力系統の受電端電圧が所定電圧であると判定されときのみ受電端の遮断器を閉じて系統並列するので、電力系統の事故が一過的な事故でない場合には分散電源設備を電力系統に連系復旧させることがない。また、請求項３の発明によれば、請求項１と同様の効果が得られる。
【図面の簡単な説明】
【００１４】
【図１】本発明の実施の形態に係る分散電源設備の系統連系復旧装置の構成図。
【図２】本発明の実施の形態に係る分散電源設備の系統連系復旧装置の動作の一例を示すフローチャート。
【図３】本発明の実施の形態に係る分散電源設備の系統連系復旧装置の動作の他の一例を示すフローチャート。
【発明を実施するための形態】
【００１５】
以下、本発明の実施の形態を説明する。図１は本発明の実施の形態に係る分散電源設備の系統連系復旧装置の構成図である。電力系統の送電線１１は遮断器１２及び変圧器１３を介して母線１４に接続されている。母線１４には受電端の遮断器１５を介して、分散電源設備及び系統連系復旧装置を構成する構内系統１６が接続されている。
【００１６】
構内系統１６には、交流分散電源１７や直流分散電源１８などの分散電源設備及び二次電池２３が設けられている。交流分散電源１７は、例えばマイクロガスタービン発電機やエンジン発電機などであり、直流分散電源１８は太陽電池や燃料電池などである。
【００１７】
交流分散電源１７は開閉器１９を介して交流負荷２０に交流電力を供給するとともに電力系統の母線１４と連系して母線１４に交流電力を供給する。直流分散電源１８は直流開閉器２１を介して直流負荷２２に直流電力を供給するとともに二次電池２３が充電運転の場合は、二次電池２３に充電する。また、インバータ２４を介して電力系統の母線１４と連系して母線１４に交流電力を供給する。二次電池２３が放電運転の場合は、二次電池から直流負荷２２に直流電力を供給するとともに、インバータ２４を介して交流負荷にも交流電力を供給する。
【００１８】
インバータ２４は制御装置２５で制御される。構内系統１６の受電端電圧は電圧変成器２６で検出され位相同期回路２７に入力される。位相同期回路２７は受電端電圧の位相と同期した位相を検出し制御装置２５に入力する。制御装置２５はインバータ２４の出力電圧が位相同期回路２７で検出した受電端電圧の位相と同期するようにインバータ２４を制御する。
【００１９】
次に、単独運転検出装置２８は分散電源設備が単独運転となったか否かを検出するものであり、分散電源設備が単独運転となったときは受電端の遮断器１５を開き、単独運転制御装置２９を起動する。単独運転制御装置２９は、分散電源設備が単独運転となったときに、単独運転となる前の状態において電力系統への向きの潮流となっていた場合は、瞬時に蓄電池２３を充電運転に切換、余剰分の交流電力を蓄電池２３に充電する。また、交流分散電源１７や直流分散電源１８さらには二次電池２３で、構内系統１６のすべての負荷を賄えるかどうかを判定し、その構内系統１６のすべての負荷を賄えないときは、開閉器１９や直流開閉器２１を選択的に開き選択的に負荷遮断を行う。この場合、負荷の重要度を予め定めておき重要度の高い負荷を優先して分散電源設備の単独運転を行う。
【００２０】
受電端電圧判定部３０は電圧変成器２６で検出された受電端電圧を入力し、受電端電圧が所定電圧であるか否かを判定する。系統並列装置３１は分散電源設備が単独運転となった後に、受電端電圧判定部３０により電力系統の受電端電圧が所定電圧であると判定されたときに起動される。
【００２１】
系統並列装置３１は、分散電源設備を電力系統の母線１４に連系させるものである。系統並列装置３１には、電圧変成器３２で検出された分散電源設備の出力電圧及び電圧変成器２６で検出された電力系統の受電端電圧が入力される。系統並列装置３１は、電圧変成器３２で検出された分散電源設備の出力電圧と、電圧変成器２６で検出された電力系統の受電端電圧との同期を取り、同期が取れたときは受電端の遮断器１５を閉じる。これにより、分散電源設備は電力系統に連系される。そして、負荷遮断した負荷の開閉器１９や直流開閉器２１を順次閉じて受電を再開させる。
【００２２】
図２は本発明の実施の形態に係る分散電源設備の系統連系復旧装置の動作の一例を示すフローチャートである。まず、分散電源設備が単独運転になったか否かを判定する（Ｓ１）。この判定は、単独運転検出装置２８により行われる。単独運転となったときは、単独運転検出装置２８は受電端の遮断器１５を開く（Ｓ２）。これにより、単独運転制御装置２９が起動され、単独運転で構内系統１６のすべての負荷を賄えるかどうかを判定し（Ｓ３）、分散電源設備の単独運転で構内系統１６のすべての負荷を賄えるときは分散電源設備の単独運転を行う（Ｓ４）。
【００２３】
一方、分散電源設備の単独運転で構内系統１６のすべての負荷を賄えないときは、単独運転検出装置２８は選択的に負荷遮断を行い（Ｓ５）、分散電源設備による単独運転が可能な状態として分散電源設備の単独運転を行う（Ｓ４）。
【００２４】
そして、分散電源設備の単独運転が開始されると、受電端電圧判定部３０は受電端電圧が回復したか否かを判定する（Ｓ６）。これは、受電端電圧が所定値以上となったことで判定する。そして、ステップ（Ｓ６）の判定で受電端電圧が回復しないときは、受電端電圧が回復するまで単独運転を継続する。
【００２５】
ステップ（Ｓ６）の判定で受電端電圧が回復すると、系統並列装置３１は、分散電源設備の出力電圧と受電端電圧との同期を取り、同期が取れたときは受電端の遮断器１５を閉じる（Ｓ７）。そして、ステップＳ５で選択的に遮断した負荷があるか否かを判定し（Ｓ８）、負荷があるときは順次負荷を接続して受電を再開して（Ｓ９）、さらに蓄電池への充電も終了させ、処理を終了する。
【００２６】
図３は本発明の実施の形態に係る分散電源設備の系統連系復旧装置の動作の他の一例を示すフローチャートである。この一例は、図２に示した一例に対し、所定時間内に受電端電圧が回復しないときは、電力系統への連系をせずに単独運転を継続するようにしたものである。この場合の所定時間は、電力系統に事故が発生して再閉路するまでの時間に余裕時間を加えた時間とする。これにより、再閉路しても事故が回復しないときは、電力系統への連系はしない。図２と同一ステップには同一符号を付し重複する説明は省略する。
【００２７】
図３のステップＳ１〜ステップＳ５は、図２のステップＳ１〜ステップＳ５と同じである。すなわち、単独運転検出装置２８は分散電源設備が単独運転であることを検出すると（Ｓ１）、受電端の遮断器１５を開き（Ｓ２）、単独運転制御装置２９は単独運転が可能となるように必要に応じて選択的に負荷遮断を行い（Ｓ５）、分散電源設備の単独運転を行う（Ｓ４）。
【００２８】
そして、分散電源設備の単独運転が開始されると、受電端電圧判定部３０は所定時間内に受電端電圧が回復したか否かを判定する（Ｓ６’）。所定時間内に受電端電圧が回復すると、分散電源設備の出力電圧と受電端電圧との同期を取り、同期が取れたときは受電端の遮断器１５を閉じる（Ｓ７）。そして、ステップＳ５で選択的に遮断した負荷があるか否かを判定し（Ｓ８）、負荷があるときは順次負荷を接続して受電を再開して（Ｓ９）、処理を終了する。一方、ステップＳ６’の判定で所定時間が経過しても受電端電圧が回復しないときは、単独運転を継続する（Ｓ１０）。これは、所定時間を経過しても受電端電圧が回復しないときは、電力系統を再閉路しても事故が回復しなかった場合であり、一過的な事故ではないからである。
【００２９】
このように、本発明の実施の形態では、電力系統の送電線事故時に分散電源設備を電力系統から切り離し、必要に応じて選択的に負荷を遮断して単独運転を行い、送電線の自動再閉路後に合わせて電力系統の受電端電圧を検出し、再閉路に成功なら分散電源設備を電力系統に連系し、遮断した負荷があれば順次受電を再開する。一方、送電線の再閉路が不成功なら、分散電源設備の単独分だけで可能な限り運転を継続する。
【００３０】
従って、電力系統に一過的な事故が発生してその事故が復旧した場合には、早急に分散電源を電力系統に連系復旧できるので、分散電源設備を有効活用できる。
【００３１】
このように、一過的な事故により分散電源の脱落を防止できるので、特に容量が小さい電力系統の場合には電力の擾乱を有効に防止できる。
【符号の説明】
【００３２】
１１…送電線、１２…遮断器、１３…変圧器、１４…母線、１５…受電端の遮断器、１６…構内系統、１７…交流分散電源、１８…直流分散電源、１９…開閉器、２０…交流負荷、２１…直流開閉器、２２…直流負荷、２３…二次電池、２４…インバータ、２５…制御装置、２６…電圧変成器、２７…位相同期回路、２８…単独運転検出装置、２９…単独運転制御装置、３０…受電端電圧判定部、３１…系統並列装置、３２…電圧変成器
【図１】
2012055033.tif 000003
【図２】
2012055033.tif 000004
【図３】
2012055033.tif 000005